【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
３，３，４，４，５，５，６，６，６−ノナフルオロ−１−ヘキセンと、
Ｃ４Ｆ９ＯＣＨ３；
１−（ジフルオロメトキシ）−１，２，２−トリフルオロエタン；
２−フルオロメトキシ−１，１，１，２−テトラフルオロエタン；
１−メトキシ−１，１，２，２−テトラフルオロエタン；
２−メトキシ−１，１，１，２−テトラフルオロエタン；
１−ジフルオロメトキシ−２，２−ジフルオロエタン；
２−メトキシ−１，１，２−トリフルオロエタン；
１，１−ジフルオロ−２−メトキシエタン；
１，１，１，２−テトラフルオロ−２−（１，１，２，２−テトラフルオロエトキシ）エタン；
１，１’−オキシビス（１，２，２，２−テトラフルオロ）エタン；
２−（ジフルオロメトキシ）−１，１，１，３，３，３−ヘキサフルオロプロパン；
３−（ジフルオロメトキシ）−１，１，１，２，２，３−ヘキサフルオロプロパン；
１，１，２，２−テトラフルオロ−３−（トリフルオロメトキシ）プロパン；
１−（２，２−ジフルオロエトキシ）−１，１，２，２，２−ペンタフルオロエタン；
３−（ジフルオロメトキシ）−１，１，１，２，２−ペンタフルオロプロパン；
１，１，１，３，３，３−ヘキサフルオロ−２−（フルオロメトキシ）プロパン；
１，１，２−トリフルオロ−１−メトキシ−２−（トリフルオロメトキシ）エタン；
１，１，１，２，３，３−ヘキサフルオロ−３−メトキシプロパン；
１，１，１，３，３，３−ヘキサフルオロ−２−メトキシプロパン；
１，１，２，２，３，３−ヘキサフルオロ−３−メトキシプロパン；
３−（ジフルオロメトキシ）−１，１，２，２−テトラフルオロプロパン；
１，１，１，２，２−ペンタフルオロ−３−メトキシプロパン；
２−（ジフルオロメトキシ）−１，１，１−トリフルオロプロパン；
２−エトキシ−１，１，１，２−テトラフルオロエタン；
１−エトキシ−１，１，２，２−テトラフルオロエタン；
１，１，１−トリフルオロ−２−エトキシエタン；
１，１，１−トリフルオロ−３−メトキシプロパン；
１，１，１−トリフルオロ−２−メトキシプロパン；
１−エトキシ−１，２，２−トリフルオロエタン；
２−エトキシ−１，１，１，２，３，３，３−ヘプタフルオロプロパン；
３−エトキシ−１，１，１，２，２，３，３−ヘプタフルオロプロパン；
１−（１，１，２，２−テトラフルオロエトキシ）プロパンおよび
２，３−ジフルオロ−４−（トリフルオロメチル）オキセタン
からなる群から選択される少なくとも１種のフルオロエーテルとを含むことを特徴とする冷媒または伝熱流体組成物。
【請求項２】
請求項１に記載の冷媒または伝熱組成物を、冷却される物体の近傍において蒸発させるステップと、その後に前記組成物を凝縮させるステップとを含むことを特徴とする冷却をもたらす方法。
【請求項３】
請求項１に記載の冷媒または伝熱組成物を、加熱される物体の近傍において凝縮させるステップと、その後に前記組成物を蒸発させるステップとを含むことを特徴とする熱を生成させる方法。
【請求項４】
請求項１に記載の組成物を、熱源からヒートシンクへ移送するステップを含むことを特徴とする熱を伝達させる方法。
【請求項５】
圧縮冷凍または空調装置における、ナフタルイミド、ペリレン、クマリン、アントラセン、フェナントラセン、キサンテン、チオキサンテン、ナフトキサンテン、フルオレセイン、前記染料の誘導体およびこれらの組み合わせからなる群から選択される少なくとも１種の紫外蛍光染料をさらに含む請求項１に記載の組成物を検出する方法であって、前記組成物を前記装置に提供するステップと、漏出ポイントまたは前記装置の近傍において前記組成物を検出するための好適な手段を提供するステップとを含むことを特徴とする方法。
【請求項６】
（ａ）パーフルオロブチルエチレン（３，３，４，４，５，５，６，６，６−ノナフルオロ−１−ヘキセン（ＰＦＢＥ））と、
Ｃ４Ｆ９ＯＣＨ３；
１−（ジフルオロメトキシ）−１，２，２−トリフルオロエタン；
２−フルオロメトキシ−１，１，１，２−テトラフルオロエタン；
１−メトキシ−１，１，２，２−テトラフルオロエタン；
２−メトキシ−１，１，１，２−テトラフルオロエタン；
１−ジフルオロメトキシ−２，２−ジフルオロエタン；
２−メトキシ−１，１，２−トリフルオロエタン；
１，１−ジフルオロ−２−メトキシエタン；
１，１，１，２−テトラフルオロ−２−（１，１，２，２−テトラフルオロエトキシ）エタン；
１，１’−オキシビス（１，２，２，２−テトラフルオロ）エタン；
２−（ジフルオロメトキシ）−１，１，１，３，３，３−ヘキサフルオロプロパン；
３−（ジフルオロメトキシ）−１，１，１，２，２，３−ヘキサフルオロプロパン；
１，１，２，２−テトラフルオロ−３−（トリフルオロメトキシ）プロパン；
１−（２，２−ジフルオロエトキシ）−１，１，２，２，２−ペンタフルオロエタン；
３−（ジフルオロメトキシ）−１，１，１，２，２−ペンタフルオロプロパン；
１，１，１，３，３，３−ヘキサフルオロ−２−（フルオロメトキシ）プロパン；
１，１，２−トリフルオロ−１−メトキシ−２−（トリフルオロメトキシ）エタン；
１，１，１，２，３，３−ヘキサフルオロ−３−メトキシプロパン；
１，１，１，３，３，３−ヘキサフルオロ−２−メトキシプロパン；
１，１，２，２，３，３−ヘキサフルオロ−３−メトキシプロパン；
３−（ジフルオロメトキシ）−１，１，２，２−テトラフルオロプロパン；
１，１，１，２，２−ペンタフルオロ−３−メトキシプロパン；
２−（ジフルオロメトキシ）−１，１，１−トリフルオロプロパン；
２−エトキシ−１，１，１，２−テトラフルオロエタン；
１−エトキシ−１，１，２，２−テトラフルオロエタン；
１，１，１−トリフルオロ−２−エトキシエタン；
１，１，１−トリフルオロ−３−メトキシプロパン；
１，１，１−トリフルオロ−２−メトキシプロパン；
１−エトキシ−１，２，２−トリフルオロエタン；
２−エトキシ−１，１，１，２，３，３，３−ヘプタフルオロプロパン；
３−エトキシ−１，１，１，２，２，３，３−ヘプタフルオロプロパン；
１−（１，１，２，２−テトラフルオロエトキシ）プロパンおよび
２，３−ジフルオロ−４−（トリフルオロメチル）オキセタン
からなる群から選択される少なくとも１種のフルオロエーテルとを含む共沸または共沸物様組成物に表面を接触させるステップと、
（ｂ）前記表面を前記組成物から回収するステップと
を含むことを特徴とする表面から残渣を除去する方法。
【手続補正２】
【補正対象書類名】明細書
【補正対象項目名】０１４４
【補正方法】変更
【補正の内容】
【０１４４】
本発明の特定の実施形態が示され、および説明されてきたが、さらなる変更および改良を当業者は成すであろう。これが理解されることが所望され、従って、本発明は示された特定の形態に限定されないことが所望され、および添付の特許請求の範囲においては、本発明の思想および範囲から逸脱しないすべての改良を包含することを意図する。
以下に、本発明の好ましい態様を示す。
１．  ３，３，４，４，５，５，６，６，６−ノナフルオロ−１−ヘキセンと、
Ｃ４Ｆ９ＯＣＨ３；
１−（ジフルオロメトキシ）−１，２，２−トリフルオロエタン；
２−フルオロメトキシ−１，１，１，２−テトラフルオロエタン；
１−メトキシ−１，１，２，２−テトラフルオロエタン；
２−メトキシ−１，１，１，２−テトラフルオロエタン；
１−ジフルオロメトキシ−２，２−ジフルオロエタン；
２−メトキシ−１，１，２−トリフルオロエタン；
１，１−ジフルオロ−２−メトキシエタン；
１，１，１，２−テトラフルオロ−２−（１，１，２，２−テトラフルオロエトキシ）エタン；
１，１’−オキシビス（１，２，２，２−テトラフルオロ）エタン；
２−（ジフルオロメトキシ）−１，１，１，３，３，３−ヘキサフルオロプロパン；
３−（ジフルオロメトキシ）−１，１，１，２，２，３−ヘキサフルオロプロパン；
１，１，２，２−テトラフルオロ−３−（トリフルオロメトキシ）プロパン；
１−（２，２−ジフルオロエトキシ）−１，１，２，２，２−ペンタフルオロエタン；
３−（ジフルオロメトキシ）−１，１，１，２，２−ペンタフルオロプロパン；
１，１，１，３，３，３−ヘキサフルオロ−２−（フルオロメトキシ）プロパン；
１，１，２−トリフルオロ−１−メトキシ−２−（トリフルオロメトキシ）エタン；
１，１，１，２，３，３−ヘキサフルオロ−３−メトキシプロパン；
１，１，１，３，３，３−ヘキサフルオロ−２−メトキシプロパン；
１，１，２，２，３，３−ヘキサフルオロ−３−メトキシプロパン；
３−（ジフルオロメトキシ）−１，１，２，２−テトラフルオロプロパン；
１，１，１，２，２−ペンタフルオロ−３−メトキシプロパン；
２−（ジフルオロメトキシ）−１，１，１−トリフルオロプロパン；
２−エトキシ−１，１，１，２−テトラフルオロエタン；
１−エトキシ−１，１，２，２−テトラフルオロエタン；
１，１，１−トリフルオロ−２−エトキシエタン；
１，１，１−トリフルオロ−３−メトキシプロパン；
１，１，１−トリフルオロ−２−メトキシプロパン；
１−エトキシ−１，２，２−トリフルオロエタン；
２−エトキシ−１，１，１，２，３，３，３−ヘプタフルオロプロパン；
３−エトキシ−１，１，１，２，２，３，３−ヘプタフルオロプロパン；
１−（１，１，２，２−テトラフルオロエトキシ）プロパンおよび
２，３−ジフルオロ−４−（トリフルオロメチル）オキセタン
からなる群から選択される少なくとも１種のフルオロエーテルとを含むことを特徴とする冷媒または伝熱流体組成物。
２．  前記組成物が、
３，３，４，４，５，５，６，６，６−ノナフルオロ−１−ヘキセンおよびＣ４Ｆ９ＯＣＨ３；
３，３，４，４，５，５，６，６，６−ノナフルオロ−１−ヘキセンおよび１−（ジフルオロメトキシ）−１，２，２−トリフルオロエタン；
３，３，４，４，５，５，６，６，６−ノナフルオロ−１−ヘキセンおよび２−フルオロメトキシ−１，１，１，２−テトラフルオロエタン；
３，３，４，４，５，５，６，６，６−ノナフルオロ−１−ヘキセンおよび１−メトキシ−１，１，２，２−テトラフルオロエタン；
３，３，４，４，５，５，６，６，６−ノナフルオロ−１−ヘキセンおよび２−メトキシ−１，１，１，２−テトラフルオロエタン；
３，３，４，４，５，５，６，６，６−ノナフルオロ−１−ヘキセンおよび１−ジフルオロメトキシ−２，２−ジフルオロエタン；
３，３，４，４，５，５，６，６，６−ノナフルオロ−１−ヘキセンおよび２−メトキシ−１，１，２−トリフルオロエタン；
３，３，４，４，５，５，６，６，６−ノナフルオロ−１−ヘキセンおよび１，１−ジフルオロ−２−メトキシエタン；
３，３，４，４，５，５，６，６，６−ノナフルオロ−１−ヘキセンおよび１，１，１，２−テトラフルオロ−２−（１，１，２，２−テトラフルオロエトキシ）エタン；
３，３，４，４，５，５，６，６，６−ノナフルオロ−１−ヘキセンおよび１，１’−オキシビス（１，２，２，２−テトラフルオロ）エタン；
３，３，４，４，５，５，６，６，６−ノナフルオロ−１−ヘキセンおよび２−（ジフルオロメトキシ）−１，１，１，３，３，３−ヘキサフルオロプロパン；
３，３，４，４，５，５，６，６，６−ノナフルオロ−１−ヘキセンおよび３−（ジフルオロメトキシ）−１，１，１，２，２，３−ヘキサフルオロプロパン；
３，３，４，４，５，５，６，６，６−ノナフルオロ−１−ヘキセンおよび１，１，２，２−テトラフルオロ−３−（トリフルオロメトキシ）プロパン；
３，３，４，４，５，５，６，６，６−ノナフルオロ−１−ヘキセンおよび１−（２，２−ジフルオロエトキシ）−１，１，２，２，２−ペンタフルオロエタン；
３，３，４，４，５，５，６，６，６−ノナフルオロ−１−ヘキセンおよび３−（ジフルオロメトキシ）−１，１，１，２，２−ペンタフルオロプロパン；
３，３，４，４，５，５，６，６，６−ノナフルオロ−１−ヘキセンおよび１，１，１，３，３，３−ヘキサフルオロ−２−（フルオロメトキシ）プロパン；
３，３，４，４，５，５，６，６，６−ノナフルオロ−１−ヘキセンおよび１，１，２−トリフルオロ−１−メトキシ−２−（トリフルオロメトキシ）エタン；
３，３，４，４，５，５，６，６，６−ノナフルオロ−１−ヘキセンおよび１，１，１，２，３，３−ヘキサフルオロ−３−メトキシプロパン；
３，３，４，４，５，５，６，６，６−ノナフルオロ−１−ヘキセンおよび１，１，１，３，３，３−ヘキサフルオロ−２−メトキシプロパン；
３，３，４，４，５，５，６，６，６−ノナフルオロ−１−ヘキセンおよび１，１，２，２，３，３−ヘキサフルオロ−３−メトキシプロパン；
３，３，４，４，５，５，６，６，６−ノナフルオロ−１−ヘキセンおよび３−（ジフルオロメトキシ）−１，１，２，２−テトラフルオロプロパン；
３，３，４，４，５，５，６，６，６−ノナフルオロ−１−ヘキセンおよび１，１，１，２，２−ペンタフルオロ−３−メトキシプロパン；
３，３，４，４，５，５，６，６，６−ノナフルオロ−１−ヘキセンおよび２−（ジフルオロメトキシ）−１，１，１−トリフルオロプロパン；
３，３，４，４，５，５，６，６，６−ノナフルオロ−１−ヘキセンおよび２−エトキシ−１，１，１，２−テトラフルオロエタン；
３，３，４，４，５，５，６，６，６−ノナフルオロ−１−ヘキセンおよび１−エトキシ−１，１，２，２−テトラフルオロエタン；
３，３，４，４，５，５，６，６，６−ノナフルオロ−１−ヘキセンおよび１，１，１−トリフルオロ−２−エトキシエタン；
３，３，４，４，５，５，６，６，６−ノナフルオロ−１−ヘキセンおよび１，１，１−トリフルオロ−３−メトキシプロパン；
３，３，４，４，５，５，６，６，６−ノナフルオロ−１−ヘキセンおよび１，１，１−トリフルオロ−２−メトキシプロパン；
３，３，４，４，５，５，６，６，６−ノナフルオロ−１−ヘキセンおよび１−エトキシ−１，２，２−トリフルオロエタン；
３，３，４，４，５，５，６，６，６−ノナフルオロ−１−ヘキセンおよび２−エトキシ−１，１，１，２，３，３，３−ヘプタフルオロプロパン；
３，３，４，４，５，５，６，６，６−ノナフルオロ−１−ヘキセンおよび３−エトキシ−１，１，１，２，２，３，３−ヘプタフルオロプロパン；
３，３，４，４，５，５，６，６，６−ノナフルオロ−１−ヘキセンおよび１−（１，１，２，２−テトラフルオロエトキシ）プロパン、および
３，３，４，４，５，５，６，６，６−ノナフルオロ−１−ヘキセンおよび２，３−ジフルオロ−４−（トリフルオロメチル）オキセタン
からなる群から選択されることを特徴とする１．に記載の冷媒または伝熱流体組成物。
３．  前記組成物が、
約１〜約９９重量パーセントの３，３，４，４，５，５，６，６，６−ノナフルオロ−１−ヘキセンおよび約１〜約９９重量パーセントのＣ４Ｆ９ＯＣＨ３；
約１〜約９９重量パーセントの３，３，４，４，５，５，６，６，６−ノナフルオロ−１−ヘキセンおよび約１〜約９９重量パーセントの１−（ジフルオロメトキシ）−１，２，２−トリフルオロエタン；
約１〜約７５重量パーセントの３，３，４，４，５，５，６，６，６−ノナフルオロ−１−ヘキセンおよび約２５〜約９９重量パーセントの２−フルオロメトキシ−１，１，１，２−テトラフルオロエタン；
約１〜約６３重量パーセントの３，３，４，４，５，５，６，６，６−ノナフルオロ−１−ヘキセンおよび約３７〜約９９重量パーセントの１−メトキシ−１，１，２，２−テトラフルオロエタン；
約１〜約６４重量パーセントの３，３，４，４，５，５，６，６，６−ノナフルオロ−１−ヘキセンおよび約３６〜約９９重量パーセントの２−メトキシ−１，１，１，２−テトラフルオロエタン、
約１〜約９９重量パーセントの３，３，４，４，５，５，６，６，６−ノナフルオロ−１−ヘキセンおよび約１〜約９９重量パーセントの１−ジフルオロメトキシ−２，２−ジフルオロエタン；
約２０〜約９９重量パーセントの３，３，４，４，５，５，６，６，６−ノナフルオロ−１−ヘキセンおよび約１〜約８０重量パーセントの２−メトキシ−１，１，２−トリフルオロエタン；
約１〜約８１重量パーセントの３，３，４，４，５，５，６，６，６−ノナフルオロ−１−ヘキセンおよび約１９〜約９９重量パーセントの１，１−ジフルオロ−２−メトキシエタン；
約１〜約９９重量パーセントの３，３，４，４，５，５，６，６，６−ノナフルオロ−１−ヘキセンおよび約１〜約９９重量パーセントの１，１，１，２−テトラフルオロ−２−（１，１，２，２−テトラフルオロエトキシ）エタン；
約１〜約９９重量パーセントの３，３，４，４，５，５，６，６，６−ノナフルオロ−１−ヘキセンおよび約１〜約９９重量パーセントの１，１’−オキシビス（１，２，２，２−テトラフルオロ）エタン；
約１〜約９９重量パーセントの３，３，４，４，５，５，６，６，６−ノナフルオロ−１−ヘキセンおよび約１〜約９９重量パーセントの２−（ジフルオロメトキシ）−１，１，１，３，３，３−ヘキサフルオロプロパン；
約１〜約９９重量パーセントの３，３，４，４，５，５，６，６，６−ノナフルオロ−１−ヘキセンおよび約１〜約９９重量パーセントの３−（ジフルオロメトキシ）−１，１，１，２，２，３−ヘキサフルオロプロパン；
約１〜約９９重量パーセントの３，３，４，４，５，５，６，６，６−ノナフルオロ−１−ヘキセンおよび約１〜約９９重量パーセントの１，１，２，２−テトラフルオロ−３−（トリフルオロメトキシ）プロパン；
約１〜約９９重量パーセントの３，３，４，４，５，５，６，６，６−ノナフルオロ−１−ヘキセンおよび約１〜約９９重量パーセントの１−（２，２−ジフルオロエトキシ）−１，１，２，２，２−ペンタフルオロエタン；
約１〜約９９重量パーセントの３，３，４，４，５，５，６，６，６−ノナフルオロ−１−ヘキセンおよび約１〜約９９重量パーセントの３−（ジフルオロメトキシ）−１，１，１，２，２−ペンタフルオロプロパン；
約１〜約９９重量パーセントの３，３，４，４，５，５，６，６，６−ノナフルオロ−１−ヘキセンおよび約１〜約９９重量パーセントの１，１，１，３，３，３−ヘキサフルオロ−２−（フルオロメトキシ）プロパン；
約１〜約９９重量パーセントの３，３，４，４，５，５，６，６，６−ノナフルオロ−１−ヘキセンおよび約１〜約９９重量パーセントの１，１，２−トリフルオロ−１−メトキシ−２−（トリフルオロメトキシ）エタン；
約１〜約９９重量パーセントの３，３，４，４，５，５，６，６，６−ノナフルオロ−１−ヘキセンおよび約１〜約９９重量パーセントの１，１，１，２，３，３−ヘキサフルオロ−３−メトキシプロパン；
約１〜約９９重量パーセントの３，３，４，４，５，５，６，６，６−ノナフルオロ−１−ヘキセンおよび約１〜約９９重量パーセントの１，１，１，３，３，３−ヘキサフルオロ−２−メトキシプロパン；
約１〜約９９重量パーセントの３，３，４，４，５，５，６，６，６−ノナフルオロ−１−ヘキセンおよび約１〜約９９重量パーセントの１，１，２，２，３，３−ヘキサフルオロ−３−メトキシプロパン；
約１〜約９９重量パーセントの３，３，４，４，５，５，６，６，６−ノナフルオロ−１−ヘキセンおよび約１〜約９９重量パーセントの３−（ジフルオロメトキシ）−１，１，２，２−テトラフルオロプロパン；
約１〜約９９重量パーセントの３，３，４，４，５，５，６，６，６−ノナフルオロ−１−ヘキセンおよび約１〜約９９重量パーセントの１，１，１，２，２−ペンタフルオロ−３−メトキシプロパン；
約１〜約９９重量パーセントの３，３，４，４，５，５，６，６，６−ノナフルオロ−１−ヘキセンおよび約１〜約９９重量パーセントの２−（ジフルオロメトキシ）−１，１，１−トリフルオロプロパン；
約１〜約９９重量パーセントの３，３，４，４，５，５，６，６，６−ノナフルオロ−１−ヘキセンおよび約１〜約９９重量パーセントの２−エトキシ−１，１，１，２−テトラフルオロエタン；
約１〜約９９重量パーセントの３，３，４，４，５，５，６，６，６−ノナフルオロ−１−ヘキセンおよび約１〜約９９重量パーセントの１−エトキシ−１，１，２，２−テトラフルオロエタン；
約１〜約９９重量パーセントの３，３，４，４，５，５，６，６，６−ノナフルオロ−１−ヘキセンおよび約１〜約９９重量パーセントの１，１，１−トリフルオロ−２−エトキシエタン；
約１〜約９９重量パーセントの３，３，４，４，５，５，６，６，６−ノナフルオロ−１−ヘキセンおよび約１〜約９９重量パーセントの１，１，１−トリフルオロ−３−メトキシプロパン；
約１〜約９９重量パーセントの３，３，４，４，５，５，６，６，６−ノナフルオロ−１−ヘキセンおよび約１〜約９９重量パーセントの１，１，１−トリフルオロ−２−メトキシプロパン；
約１〜約９９重量パーセントの３，３，４，４，５，５，６，６，６−ノナフルオロ−１−ヘキセンおよび約１〜約９９重量パーセントの１−エトキシ−１，２，２−トリフルオロエタン；
約１〜約９９重量パーセントの３，３，４，４，５，５，６，６，６−ノナフルオロ−１−ヘキセンおよび約１〜約９９重量パーセントの２−エトキシ−１，１，１，２，３，３，３−ヘプタフルオロプロパン；
約１〜約９９重量パーセントの３，３，４，４，５，５，６，６，６−ノナフルオロ−１−ヘキセンおよび約１〜約９９重量パーセントの３−エトキシ−１，１，１，２，２，３，３−ヘプタフルオロプロパン；
約１〜約９９重量パーセントの３，３，４，４，５，５，６，６，６−ノナフルオロ−１−ヘキセンおよび約１〜約９９重量パーセントの１−（１，１，２，２−テトラフルオロエトキシ）プロパン、および
約１〜約９９重量パーセントの３，３，４，４，５，５，６，６，６−ノナフルオロ−１−ヘキセンおよび約１〜約９９重量パーセントの２，３−ジフルオロ−４−（トリフルオロメチル）オキセタン
からなる群から選択される共沸または近共沸組成物であることを特徴とする１．に記載の冷媒または伝熱流体組成物。
４．  前記組成物が、
約３０〜約９９重量パーセントの３，３，４，４，５，５，６，６，６−ノナフルオロ−１−ヘキセンおよび約１〜約７０重量パーセントのＣ４Ｆ９ＯＣＨ３；
約２０〜約９９重量パーセントの３，３，４，４，５，５，６，６，６−ノナフルオロ−１−ヘキセンおよび約１〜約８０重量パーセントの１−（ジフルオロメトキシ）−１，２，２−トリフルオロエタン；
約１〜約６０重量パーセントの３，３，４，４，５，５，６，６，６−ノナフルオロ−１−ヘキセンおよび約４０〜約９９重量パーセントの２−フルオロメトキシ−１，１，１，２−テトラフルオロエタン；
約１〜約４０重量パーセントの３，３，４，４，５，５，６，６，６−ノナフルオロ−１−ヘキセンおよび約６０〜約９９重量パーセントの１−メトキシ−１，１，２，２−テトラフルオロエタン；
約１〜約４０重量パーセントの３，３，４，４，５，５，６，６，６−ノナフルオロ−１−ヘキセンおよび約６０〜約９９重量パーセントの２−メトキシ−１，１，１，２−テトラフルオロエタン、
約２０〜約９９重量パーセントの３，３，４，４，５，５，６，６，６−ノナフルオロ−１−ヘキセンおよび約１〜約８０重量パーセントの１−ジフルオロメトキシ−２，２−ジフルオロエタン；
約４０〜約９９重量パーセントの３，３，４，４，５，５，６，６，６−ノナフルオロ−１−ヘキセンおよび約１〜約６０重量パーセントの２−メトキシ−１，１，２−トリフルオロエタン；
約３０〜約８１重量パーセントの３，３，４，４，５，５，６，６，６−ノナフルオロ−１−ヘキセンおよび約１９〜約７０重量パーセントの１，１−ジフルオロ−２−メトキシエタン；
約２０〜約９９重量パーセントの３，３，４，４，５，５，６，６，６−ノナフルオロ−１−ヘキセンおよび約１〜約８０重量パーセントの１，１，１，２−テトラフルオロ−２−（１，１，２，２−テトラフルオロエトキシ）エタン；
約２０〜約９９重量パーセントの３，３，４，４，５，５，６，６，６−ノナフルオロ−１−ヘキセンおよび約１〜約８０重量パーセントの１，１’−オキシビス（１，２，２，２−テトラフルオロ）エタン；
約２０〜約９９重量パーセントの３，３，４，４，５，５，６，６，６−ノナフルオロ−１−ヘキセンおよび約１〜約８０重量パーセントの２−（ジフルオロメトキシ）−１，１，１，３，３，３−ヘキサフルオロプロパン；
約２０〜約９９重量パーセントの３，３，４，４，５，５，６，６，６−ノナフルオロ−１−ヘキセンおよび約１〜約８０重量パーセントの３−（ジフルオロメトキシ）−１，１，１，２，２，３−ヘキサフルオロプロパン；
約２０〜約９９重量パーセントの３，３，４，４，５，５，６，６，６−ノナフルオロ−１−ヘキセンおよび約１〜約８０重量パーセントの１，１，２，２−テトラフルオロ−３−（トリフルオロメトキシ）プロパン；
約２０〜約９９重量パーセントの３，３，４，４，５，５，６，６，６−ノナフルオロ−１−ヘキセンおよび約１〜約８０重量パーセントの１−（２，２−ジフルオロエトキシ）−１，１，２，２，２−ペンタフルオロエタン；
約２０〜約９９重量パーセントの３，３，４，４，５，５，６，６，６−ノナフルオロ−１−ヘキセンおよび約１〜約８０重量パーセントの３−（ジフルオロメトキシ）−１，１，１，２，２−ペンタフルオロプロパン；
約２０〜約９９重量パーセントの３，３，４，４，５，５，６，６，６−ノナフルオロ−１−ヘキセンおよび約１〜約８０重量パーセントの１，１，１，３，３，３−ヘキサフルオロ−２−（フルオロメトキシ）プロパン；
約２０〜約９９重量パーセントの３，３，４，４，５，５，６，６，６−ノナフルオロ−１−ヘキセンおよび約１〜約８０重量パーセントの１，１，２−トリフルオロ−１−メトキシ−２−（トリフルオロメトキシ）エタン；
約１０〜約９９重量パーセントの３，３，４，４，５，５，６，６，６−ノナフルオロ−１−ヘキセンおよび約１〜約９０重量パーセントの１，１，１，２，３，３−ヘキサフルオロ−３−メトキシプロパン；
約２０〜約９９重量パーセントの３，３，４，４，５，５，６，６，６−ノナフルオロ−１−ヘキセンおよび約１〜約８０重量パーセントの１，１，１，３，３，３−ヘキサフルオロ−２−メトキシプロパン；
約４０〜約９９重量パーセントの３，３，４，４，５，５，６，６，６−ノナフルオロ−１−ヘキセンおよび約１〜約６０重量パーセントの１，１，２，２，３，３−ヘキサフルオロ−３−メトキシプロパン；
約２０〜約９９重量パーセントの３，３，４，４，５，５，６，６，６−ノナフルオロ−１−ヘキセンおよび約１〜約８０重量パーセントの３−（ジフルオロメトキシ）−１，１，２，２−テトラフルオロプロパン；
約２０〜約９９重量パーセントの３，３，４，４，５，５，６，６，６−ノナフルオロ−１−ヘキセンおよび約１〜約８０重量パーセントの１，１，１，２，２−ペンタフルオロ−３−メトキシプロパン；
約２０〜約９９重量パーセントの３，３，４，４，５，５，６，６，６−ノナフルオロ−１−ヘキセンおよび約１〜約８０重量パーセントの２−（ジフルオロメトキシ）−１，１，１−トリフルオロプロパン；
約２０〜約９９重量パーセントの３，３，４，４，５，５，６，６，６−ノナフルオロ−１−ヘキセンおよび約１〜約８０重量パーセントの２−エトキシ−１，１，１，２−テトラフルオロエタン；
約２０〜約９９重量パーセントの３，３，４，４，５，５，６，６，６−ノナフルオロ−１−ヘキセンおよび約１〜約８０重量パーセントの１−エトキシ−１，１，２，２−テトラフルオロエタン；
約１０〜約９９重量パーセントの３，３，４，４，５，５，６，６，６−ノナフルオロ−１−ヘキセンおよび約１〜約９０重量パーセントの１，１，１−トリフルオロ−２−エトキシエタン；
約２０〜約９９重量パーセントの３，３，４，４，５，５，６，６，６−ノナフルオロ−１−ヘキセンおよび約１〜約８０重量パーセントの１，１，１−トリフルオロ−３−メトキシプロパン；
約１〜約８０重量パーセントの３，３，４，４，５，５，６，６，６−ノナフルオロ−１−ヘキセンおよび約２０〜約９９重量パーセントの１，１，１−トリフルオロ−２−メトキシプロパン；
約２０〜約９９重量パーセントの３，３，４，４，５，５，６，６，６−ノナフルオロ−１−ヘキセンおよび約１〜約８０重量パーセントの１−エトキシ−１，２，２−トリフルオロエタン；
約２０〜約９９重量パーセントの３，３，４，４，５，５，６，６，６−ノナフルオロ−１−ヘキセンおよび約１〜約８０重量パーセントの２−エトキシ−１，１，１，２，３，３，３−ヘプタフルオロプロパン；
約２０〜約９９重量パーセントの３，３，４，４，５，５，６，６，６−ノナフルオロ−１−ヘキセンおよび約１〜約８０重量パーセントの３−エトキシ−１，１，１，２，２，３，３−ヘプタフルオロプロパン；
約２０〜約９９重量パーセントの３，３，４，４，５，５，６，６，６−ノナフルオロ−１−ヘキセンおよび約１〜約８０重量パーセントの１−（１，１，２，２−テトラフルオロエトキシ）プロパン、および
約２０〜約９９重量パーセントの３，３，４，４，５，５，６，６，６−ノナフルオロ−１−ヘキセンおよび約１〜約８０重量パーセントの２，３−ジフルオロ−４−（トリフルオロメチル）オキセタン
からなる群から選択される共沸または近共沸組成物であることを特徴とする１．に記載の冷媒または伝熱流体組成物。
５．  前記組成物が、
約４９．９℃の温度で約１４．７ｐｓｉａ（１０１ｋＰａ）の蒸気圧を有する４２．７重量パーセントの３，３，４，４，５，５，６，６，６−ノナフルオロ−１−ヘキセンおよび５７．３重量パーセントの１−（ジフルオロメトキシ）−１，２，２−トリフルオロエタン；
約４２．８℃の温度で約１４．７ｐｓｉａ（１０１ｋＰａ）の蒸気圧を有する１２．３重量パーセントの３，３，４，４，５，５，６，６，６−ノナフルオロ−１−ヘキセンおよび８７．７重量パーセントの２−フルオロメトキシ−１，１，１，２−テトラフルオロエタン；
約３７．２℃の温度で約１４．７ｐｓｉａ（１０１ｋＰａ）の蒸気圧を有する４．５重量パーセントの３，３，４，４，５，５，６，６，６−ノナフルオロ−１−ヘキセンおよび９５．５重量パーセントの１−メトキシ−１，１，２，２−テトラフルオロエタン；
約３７．９℃の温度で約１４．７ｐｓｉａ（１０１ｋＰａ）の蒸気圧を有する７．５重量パーセントの３，３，４，４，５，５，６，６，６−ノナフルオロ−１−ヘキセンおよび９２．５重量パーセントの２−メトキシ−１，１，１，２−テトラフルオロエタン；
約４９．８℃の温度で約１４．７ｐｓｉａ（１０１ｋＰａ）の蒸気圧を有する５２．３重量パーセントの３，３，４，４，５，５，６，６，６−ノナフルオロ−１−ヘキセンおよび４７．７重量パーセントの１−ジフルオロメトキシ−２，２−ジフルオロエタン；
約４８．５℃の温度で約１４．７ｐｓｉａ（１０１ｋＰａ）の蒸気圧を有する５７．１重量パーセントの３，３，４，４，５，５，６，６，６−ノナフルオロ−１−ヘキセンおよび４２．９重量パーセントの２−メトキシ−１，１，２−トリフルオロエタン；
約４３．３℃の温度で約１４．７ｐｓｉａ（１０１ｋＰａ）の蒸気圧を有する５０．５重量パーセントの３，３，４，４，５，５，６，６，６−ノナフルオロ−１−ヘキセンおよび４９．５重量パーセントの１，１−ジフルオロ−２−メトキシエタン；
約５７．１℃の温度で約１４．７ｐｓｉａ（１０１ｋＰａ）の蒸気圧を有する４２．２重量パーセントの３，３，４，４，５，５，６，６，６−ノナフルオロ−１−ヘキセンおよび５７．８重量パーセントの１，１，１，３，３，３−ヘキサフルオロ−２−（フルオロメトキシ）プロパン；
約５７．１℃の温度で約１４．７ｐｓｉａ（１０１ｋＰａ）の蒸気圧を有する４５．６重量パーセントの３，３，４，４，５，５，６，６，６−ノナフルオロ−１−ヘキセンおよび５４．４重量パーセントの１，１，２−トリフルオロ−１−メトキシ−２−（トリフルオロメトキシ）エタン；
約５４．２℃の温度で約１４．７ｐｓｉａ（１０１ｋＰａ）の蒸気圧を有する１５．９重量パーセントの３，３，４，４，５，５，６，６，６−ノナフルオロ−１−ヘキセンおよび８４．１重量パーセントの１，１，１，２，３，３−ヘキサフルオロ−３−メトキシプロパン；
約４７．８℃の温度で約１４．７ｐｓｉａ（１０１ｋＰａ）の蒸気圧を有する３６．６重量パーセントの３，３，４，４，５，５，６，６，６−ノナフルオロ−１−ヘキセンおよび６３．４重量パーセントの１，１，１，３，３，３−ヘキサフルオロ−２−メトキシプロパン；
約５９．０℃の温度で約１４．７ｐｓｉａ（１０１ｋＰａ）の蒸気圧を有する９８．２重量パーセントの３，３，４，４，５，５，６，６，６−ノナフルオロ−１−ヘキセンおよび１．８重量パーセントの１，１，２，２，３，３−ヘキサフルオロ−３−メトキシプロパン；
約５５．４℃の温度で約１４．７ｐｓｉａ（１０１ｋＰａ）の蒸気圧を有する５３．９重量パーセントの３，３，４，４，５，５，６，６，６−ノナフルオロ−１−ヘキセンおよび４６．１重量パーセントの２−エトキシ−１，１，１，２−テトラフルオロエタン；
約５４．３℃の温度で約１４．７ｐｓｉａ（１０１ｋＰａ）の蒸気圧を有する４５．０重量パーセントの３，３，４，４，５，５，６，６，６−ノナフルオロ−１−ヘキセンおよび５５．０重量パーセントの１−エトキシ−１，１，２，２−テトラフルオロエタン；
約４９．６℃の温度で約１４．７ｐｓｉａ（１０１ｋＰａ）の蒸気圧を有する２１．８重量パーセントの３，３，４，４，５，５，６，６，６−ノナフルオロ−１−ヘキセンおよび７８．２重量パーセントの１，１，１−トリフルオロ−２−エトキシエタン；
約５２．９℃の温度で約１４．７ｐｓｉａ（１０１ｋＰａ）の蒸気圧を有する４６．４重量パーセントの３，３，４，４，５，５，６，６，６−ノナフルオロ−１−ヘキセンおよび５３．６重量パーセントの１，１，１−トリフルオロ−３−メトキシプロパン；
約４７．８℃の温度で約１４．７ｐｓｉａ（１０１ｋＰａ）の蒸気圧を有する８．２重量パーセントの３，３，４，４，５，５，６，６，６−ノナフルオロ−１−ヘキセンおよび９１．８重量パーセントの１，１，１−トリフルオロ−２−メトキシプロパン；
約５１．５℃の温度で約１４．７ｐｓｉａ（１０１ｋＰａ）の蒸気圧を有する２９．１重量パーセントの３，３，４，４，５，５，６，６，６−ノナフルオロ−１−ヘキセンおよび７０．９重量パーセントの１−エトキシ−１，２，２−トリフルオロエタン；
約５４．６℃の温度で約１４．７ｐｓｉａ（１０１ｋＰａ）の蒸気圧を有する５４．５重量パーセントの３，３，４，４，５，５，６，６，６−ノナフルオロ−１−ヘキセンおよび４５．５重量パーセントの２，３−ジフルオロ−４−（トリフルオロメチル）オキセタン；
からなる群から選択される共沸組成物であることを特徴とする１．に記載の冷媒または伝熱流体組成物。
６．  １．に記載の冷媒または伝熱組成物を、冷却される物体の近傍において蒸発させるステップと、その後に前記組成物を凝縮させるステップとを含むことを特徴とする冷却をもたらす方法。
７．  １．に記載の冷媒または伝熱組成物を、加熱される物体の近傍において凝縮させるステップと、その後に前記組成物を蒸発させるステップとを含むことを特徴とする熱を生成させる方法。
８．  １．に記載の組成物を、熱源からヒートシンクへ移送するステップを含むことを特徴とする熱を伝達させる方法。
９．  ナフタルイミド、ペリレン、クマリン、アントラセン、フェナントラセン、キサンテン、チオキサンテン、ナフトキサンテン、フルオレセイン、前記染料の誘導体およびこれらの組み合わせからなる群から選択される少なくとも１種の紫外蛍光染料をさらに含むことを特徴とする１．に記載の組成物。
１０．  炭化水素、ジメチルエーテル、ポリオキシアルキレングリコールエーテル、アミド、ケトン、ニトリル、クロロカーボン、エステル、ラクトン、アリールエーテル、ヒドロフルオロエーテル、および１，１，１−トリフルオロアルカンからなる群から選択される少なくとも１種の可溶化剤をさらに含む組成物であって、前記冷媒および可溶化剤が同一の化合物ではないことを特徴とする９．に記載の組成物。
１１．  前記可溶化剤が、
ａ）式Ｒ１［（ＯＲ２）ｘＯＲ３］ｙ（式中、ｘが１〜３の整数であり；ｙが１〜４の整数であり；Ｒ１は、水素と、１〜６個の炭素原子およびｙ結合部位を有する脂肪族炭化水素ラジカルとから選択され；Ｒ２は、２〜４個の炭素原子を有する脂肪族ヒドロカルビレンラジカルから選択され；Ｒ３は、水素と、１〜６個の炭素原子を有する脂肪族および脂環式炭化水素ラジカルとから選択され；Ｒ１およびＲ３の少なくとも１つが前記炭化水素ラジカルから選択される）によって表されるポリオキシアルキレングリコールエーテルであって、約１００〜約３００原子質量単位の分子量を有するポリオキシアルキレングリコールエーテルと、
ｂ）式Ｒ１Ｃ（Ｏ）ＮＲ２Ｒ３およびシクロ−［Ｒ４ＣＯＮ（Ｒ５）−］（式中、Ｒ１、Ｒ２、Ｒ３およびＲ５は、独立に、１〜１２個の炭素原子を有する脂肪族および脂環式炭化水素ラジカル、および６〜１２個の炭素原子を有する最大で１種の芳香族ラジカルから選択され、Ｒ４は、３〜１２個の炭素原子を有する脂肪族ヒドロカルビレンラジカルから選択される）によって表されるアミドであって、約１００〜約３００原子質量単位の分子量を有するアミドと、
ｃ）式Ｒ１Ｃ（Ｏ）Ｒ２（式中、Ｒ１およびＲ２は、独立に、１〜１２個の炭素原子を有する脂肪族、脂環式およびアリール炭化水素ラジカルから選択される）によって表されるケトンであって、約７０〜約３００原子質量単位の分子量を有するケトンと、
ｄ）式Ｒ１ＣＮ（式中、Ｒ１は、５〜１２個の炭素原子を有する脂肪族、脂環式またはアリール炭化水素ラジカルから選択される）によって表されるニトリルであって、約９０〜約２００原子質量単位の分子量を有するニトリルと、
ｅ）式ＲＣｌｘ（式中、ｘは１または２であり、Ｒは、１〜１２個の炭素原子を有する脂肪族および脂環式炭化水素ラジカルから選択される）によって表されるクロロカーボンであって、約１００〜約２００原子質量単位の分子量のクロロカーボンと、
ｆ）式Ｒ１ＯＲ２（式中、Ｒ１は、６〜１２個の炭素原子を有するアリール炭化水素ラジカルから選択され、Ｒ２は、１〜４個の炭素原子を有する脂肪族炭化水素ラジカルから選択される）によって表されるアリールエーテルであって、約１００〜約１５０原子質量単位の分子量のアリールエーテルと、
ｇ）式ＣＦ３Ｒ１（式中、Ｒ１は、約５〜約１５個の炭素原子を有する脂肪族および脂環式炭化水素ラジカルから選択される）によって表される１，１，１−トリフルオロアルカンと、
ｈ）式Ｒ１ＯＣＦ２ＣＦ２Ｈ（式中、Ｒ１は、約５〜約１５個の炭素原子を有する脂肪族、脂環式および芳香族炭化水素ラジカルから選択される）によって表されるフルオロエーテル、またはフルオロオレフィンおよびポリオールから誘導されるフルオロエーテル（ここで前記フルオロオレフィンは、タイプＣＦ２＝ＣＸＹ（式中、Ｘは水素、塩素またはフッ素であると共に、Ｙは塩素、フッ素、ＣＦ３またはＯＲｆである（式中、ＲｆはＣＦ３、Ｃ２Ｆ５、またはＣ３Ｆ７である））のものであると共に、前記ポリオールは直鎖または分岐であって、ここで前記直鎖ポリオールはタイプＨＯＣＨ２（ＣＨＯＨ）ｘ（ＣＲＲ’）ｙＣＨ２ＯＨ（式中、ＲおよびＲ’は水素、ＣＨ３またはＣ２Ｈ５であり、ｘは０〜４の整数であり、ｙは０〜３の整数であり、およびｚは０または１のいずれかである）のものであると共に前記分岐ポリオールはタイプＣ（ＯＨ）ｔ（Ｒ）ｕ（ＣＨ２ＯＨ）ｖ［（ＣＨ２）ｍＣＨ２ＯＨ］ｗ（式中、Ｒは水素、ＣＨ３またはＣ２Ｈ５であり得、ｍは０〜３の整数であり、ｔおよびｕは０または１であり、ｖおよびｗは０〜４の整数であり、また、ｔ＋ｕ＋ｖ＋ｗ＝４である）のものである）と、
ｉ）構造［Ｂ］、［Ｃ］、および［Ｄ］によって表されるラクトン
【化１】
2008539312.tif 000001
（式中、Ｒ１からＲ８は、独立に、水素、直鎖、分岐、環状、二環状、飽和および不飽和ヒドロカルビルラジカルから選択される）であって、分子量が約１００〜約３００原子質量単位であるラクトンと、
ｊ）一般式Ｒ１ＣＯ２Ｒ２（式中、Ｒ１およびＲ２は、独立に、直鎖および環状、飽和および不飽和、アルキルおよびアリールラジカルから選択される）によって表されるエステルであって、約８０〜約５５０原子質量単位の分子量を有するエステルと
からなる群から選択されることを特徴とする９．に記載の組成物。
１２．  圧縮冷凍または空調装置における９．に記載の組成物を検出する方法であって、前記組成物を前記装置に提供するステップと、漏出ポイントまたは前記装置の近傍において前記組成物を検出するための好適な手段を提供するステップとを含むことを特徴とする方法。
１３．  前記冷媒または伝熱組成物が、ナフタルイミド、ペリレン、クマリン、アントラセン、フェナントラセン、キサンテン、チオキサンテン、ナフトキサンテン、フルオレセイン、前記染料の誘導体およびこれらの組み合わせからなる群から選択される少なくとも１種の紫外蛍光染料をさらに含むことを特徴とする６．に記載の冷却をもたらす方法。
１４．  前記冷媒または伝熱組成物が、ナフタルイミド、ペリレン、クマリン、アントラセン、フェナントラセン、キサンテン、チオキサンテン、ナフトキサンテン、フルオレセイン、前記染料の誘導体およびこれらの組み合わせからなる群から選択される少なくとも１種の紫外蛍光染料をさらに含むことを特徴とする７．に記載の熱を生成させる方法。
１５．  安定化剤、水捕捉剤、または臭気マスキング剤をさらに含むことを特徴とする１．に記載の組成物。
１６．  前記安定化剤が、ニトロメタン、ヒンダードフェノール、ヒドロキシルアミン、チオール、ホスファイトおよびラクトンからなる群から選択されることを特徴とする１５．に記載の組成物。
１７．  多段遠心コンプレッサを用いる冷凍または空調装置において冷却をもたらすステップを含むことを特徴とする６．に記載の方法。
１８．  前記多段遠心コンプレッサが２段遠心コンプレッサであることを特徴とする１７．に記載の方法。
１９．  多段遠心コンプレッサを用いる冷凍装置において熱を生成させるステップを含むことを特徴とする７．に記載の方法。
２０．  前記多段遠心コンプレッサが２段遠心コンプレッサであることを特徴とする１９．に記載の方法。
２１．  前記水捕捉剤がオルトエステルであることを特徴とする１５．に記載の組成物。
２２．  エンジン排気ガス駆動式タービンによって電源供給されるミニ遠心コンプレッサを用いる冷凍または空調装置において冷却をもたらすステップを含むことを特徴とする６．に記載の方法。
２３．  レシオベルトドライブを備えるレシオギアドライブアセンブリによって電源供給されるミニ遠心コンプレッサを用いる冷凍または空調装置において冷却をもたらすステップを含むことを特徴とする６．に記載の方法。
２４．  （ａ）パーフルオロブチルエチレン（３，３，４，４，５，５，６，６，６−ノナフルオロ−１−ヘキセン（ＰＦＢＥ））と、
Ｃ４Ｆ９ＯＣＨ３；
１−（ジフルオロメトキシ）−１，２，２−トリフルオロエタン；
２−フルオロメトキシ−１，１，１，２−テトラフルオロエタン；
１−メトキシ−１，１，２，２−テトラフルオロエタン；
２−メトキシ−１，１，１，２−テトラフルオロエタン；
１−ジフルオロメトキシ−２，２−ジフルオロエタン；
２−メトキシ−１，１，２−トリフルオロエタン；
１，１−ジフルオロ−２−メトキシエタン；
１，１，１，２−テトラフルオロ−２−（１，１，２，２−テトラフルオロエトキシ）エタン；
１，１’−オキシビス（１，２，２，２−テトラフルオロ）エタン；
２−（ジフルオロメトキシ）−１，１，１，３，３，３−ヘキサフルオロプロパン；
３−（ジフルオロメトキシ）−１，１，１，２，２，３−ヘキサフルオロプロパン；
１，１，２，２−テトラフルオロ−３−（トリフルオロメトキシ）プロパン；
１−（２，２−ジフルオロエトキシ）−１，１，２，２，２−ペンタフルオロエタン；
３−（ジフルオロメトキシ）−１，１，１，２，２−ペンタフルオロプロパン；
１，１，１，３，３，３−ヘキサフルオロ−２−（フルオロメトキシ）プロパン；
１，１，２−トリフルオロ−１−メトキシ−２−（トリフルオロメトキシ）エタン；
１，１，１，２，３，３−ヘキサフルオロ−３−メトキシプロパン；
１，１，１，３，３，３−ヘキサフルオロ−２−メトキシプロパン；
１，１，２，２，３，３−ヘキサフルオロ−３−メトキシプロパン；
３−（ジフルオロメトキシ）−１，１，２，２−テトラフルオロプロパン；
１，１，１，２，２−ペンタフルオロ−３−メトキシプロパン；
２−（ジフルオロメトキシ）−１，１，１−トリフルオロプロパン；
２−エトキシ−１，１，１，２−テトラフルオロエタン；
１−エトキシ−１，１，２，２−テトラフルオロエタン；
１，１，１−トリフルオロ−２−エトキシエタン；
１，１，１−トリフルオロ−３−メトキシプロパン；
１，１，１−トリフルオロ−２−メトキシプロパン；
１−エトキシ−１，２，２−トリフルオロエタン；
２−エトキシ−１，１，１，２，３，３，３−ヘプタフルオロプロパン；
３−エトキシ−１，１，１，２，２，３，３−ヘプタフルオロプロパン；
１−（１，１，２，２−テトラフルオロエトキシ）プロパンおよび
２，３−ジフルオロ−４−（トリフルオロメチル）オキセタン
からなる群から選択される少なくとも１種のフルオロエーテルとを含む共沸または共沸物様組成物に表面を接触させるステップと、
（ｂ）前記表面を前記組成物から回収するステップと
を含むことを特徴とする表面から残渣を除去する方法。
２５．  前記残渣が油を含むことを特徴とする２４．に記載の方法。
２６．  前記残渣がロジンフラックスを含むことを特徴とする２４．に記載の方法。
２７．  前記表面が集積回路デバイスであることを特徴とする２４．に記載の方法。